(57)【要約】【課題】ウエットティッシュ等の収納容器に乳幼児用の玩具を取り付けることで、例えばおむつ交換などのときにでも別に遊び道具を設ける必要なく、おむつ交換をスムーズに行うことができる収納容器を提供することを目的している。【解決手段】容器本体２の前側の側板６の外面６ｂから連結部材１４、１７と、その先端に玩具部材１５、１８が取り付けられている。この収納容器１を乳幼児のおむつ交換のときに、乳幼児の傍に置いておくことで、母親がおしめ交換や前記容器１からウエットティッシュを取り出してお尻拭きをしている最中、乳幼児を前記玩具部材１５、１８で遊ばせておくことができるため、別に遊び道具を用意しなくても、おしめ交換をスムーズに行うことができる。【選択図】　　図１
2004042913.tif 000002
【特許請求の範囲】
【請求項１】
内容物を収納する収納部を有し上面が開口している容器本体と、前記容器本体の開口部を覆う状態で前記容器本体に着脱自在に取り付けられる蓋体とを有する収納容器において、
前記容器本体と前記蓋体の少なくとも一方の外部に、玩具部材が取り付けられていることを特徴とする収納容器。
【請求項２】
前記容器本体に穴が形成され、前記穴から延びる連結部材に前記玩具部材が取付けられている請求項１記載の収納容器。
【請求項３】
前記容器本体の２箇所に前記穴が形成されて、前記連結部材は一方の穴から容器本体内を経て他方の穴から外部に延びており、それぞれの穴から外部に延びる連結部材のそれぞれに前記玩具部材が取付けられている請求項２記載の収納容器。
【請求項４】
前記穴は、前記容器本体の前記収納部の上方で、前記収納部に収納される内容物よりも上の位置に設けられている請求項２または３記載の収納容器。
【請求項５】
前記玩具部材は、前記容器本体と前記蓋材の少なくとも一方の外面においてスライド自在に設けられたスライド体である請求項１記載の収納容器。
【請求項６】
前記外面には、互いに対向して平行に形成された一対のレール部が設けられ、前記スライド体は、一対の前記レール部の間に位置して前記レール部に沿って摺動自在に取付けられている請求項５記載の収納容器。
【請求項７】
前記外面に図柄が描かれており、前記スライド体は前記図柄の上で移動可能である請求項６記載の収納容器。
【請求項８】
前記玩具部材は、前記容器本体に取付けられた持ち手部材である請求項１記載の収納容器。
【請求項９】
前記持ち手部材の両端部は前記容器本体に回動自在に連結されている請求項８記載の収納容器。
【請求項１０】
前記蓋体の上面に内容物の取り出し口が形成されていると共に、前記蓋体の上面には前記取り出し口を覆う小蓋片が開閉自在に設けられており、前記持ち手部材が前記蓋体の上方へ回動させられたときに、この持ち手部材は、開放状態の前記小蓋片と当たらない位置にある請求項８または９記載の収納容器。
【請求項１１】
前記内容物はティッシュである請求項１ないし１０のいずれかに記載の収納容器。
【発明の詳細な説明】
【０００１】
【発明の属する技術分野】
本発明は、例えば人体を拭くためのウエットティッシュまたはドライティッシュ、あるいは使い捨ておむつなどを収納する収納容器に係り、特に乳児から幼児を対象とした収納容器に関する。
【０００２】
【従来の技術及びその問題点】
乳幼児のおむつ交換時のお尻拭き、または幼児の手拭きや口拭きにウエットティッシュが使用される。このウエットティッシュは軟質なシートで形成されたピロー包装体の内部に収容されており、このピロー包装体の開封片を剥がしてティッシュを１枚ずつ取り出して使用し、あるいは前記ピロー包装体をプラスチック製の収納容器内に収納して、前記ピロー包装体の内部のティッシュを前記収納容器の取り出し口から１枚ずつ取り出して使用する。
【０００３】
しかし従来の前記収納容器は、ティッシュの収納のしやすさやティッシュの取り出しやすさなどについての工夫がなされているものの、外観デザインを乳幼児の趣向に合わせたものではなかった。そのため、例えばおむつ交換や、その後にお尻を拭くときに、遊び道具を用意して乳幼児をあやしながらおむつ交換をしているのが実態である。
【０００４】
また、特開平９−１５６６４４号公報には、ウエットティッシュの収納容器の外観を楽しめるようにした発明が開示されている。この発明は、菓子やジュースを収納していた空き缶の上面を切り取り、ウエットティッシュを収納した容器本体を前記空き缶の内部に収容させ、気に入った空き缶に交換できるようにしたものである。ウエットティッシュの収納容器の外観を空き缶とすることにより、個人の趣向に合わせることができるようにしたものである。
【０００５】
しかし、この発明はむしろ大人の趣向に合わせたものであり、必ずしも乳幼児の好みのものとはならない。また空き缶を使用しているため、乳幼児が手にしたときに缶の切り口の部分で怪我をする心配もある。
【０００６】
本発明は上記従来の課題を解決するものであり、ティッシュなどの内容物を収納した容器を乳幼児の趣向に合うようにし、また乳幼児の年齢に応じたものとすることが可能な収納容器を提供することを目的している。
【０００７】
【課題を解決するための手段】
本発明は、内容物を収納する収納部を有し上面が開口している容器本体と、前記容器本体の開口部を覆う状態で前記容器本体に着脱自在に取り付けられる蓋体とを有する収納容器において、
前記容器本体と前記蓋体の少なくとも一方の外部に、玩具部材が取り付けられていることを特徴とするものである。
【０００８】
この収納容器では、容器外部に玩具部材が取付けられているため、収納容器内から内容物を取り出して、例えば乳幼児のおむつを交換したり、または乳幼児の手拭きや口拭きなどを行っている際に、乳幼児が収納容器で遊ぶことができる。
【０００９】
例えば、前記容器本体に穴が形成され、前記穴から延びる連結部材に前記玩具部材が取付けられているものとして構成できる。
【００１０】
この収納容器は月齢が６〜１１ヶ月くらいの乳幼児の趣向に合うものとなり、おむつ交換中などに容器から出ている玩具で遊ぶことができる。
【００１１】
この場合に、前記容器本体の２箇所に前記穴が形成されて、前記連結部材は一方の穴から容器本体内を経て他方の穴から外部に延びており、それぞれの穴から外部に延びる連結部材のそれぞれに前記玩具部材が取付けられているものにできる。
【００１２】
このように構成すると、一方の側に突出する玩具部材を引っ張ると他方の側に突出する玩具部材が引っ込むようになり、乳幼児が喜んで遊ぶようになる。
【００１３】
また、前記穴は、前記容器本体の前記収納部の上方で、前記収納部に収納される内容物よりも上の位置に設けられていることが好ましい。
【００１４】
このように構成すると、容器本体内に位置する連結部材が前記内容物の収納を阻害することがない。
【００１５】
または、前記玩具部材は、前記容器本体と前記蓋材の少なくとも一方の外面においてスライド自在に設けられたスライド体である。
【００１６】
この場合に、前記外面には、互いに対向して平行に形成された一対のレール部が設けられ、前記スライド体は、一対の前記レール部の間に位置して前記レール部に沿って摺動自在に取付けられているものにできる。
【００１７】
また、前記外面に図柄が描かれており、前記スライド体は前記図柄の上で移動可能なものにできる。
【００１８】
このスライド体を設けたものは、例えば月齢が１２〜１７ヶ月程度の幼児の趣向に合うものとなる。
【００１９】
または、前記玩具部材は、前記容器本体に取付けられた持ち手部材である。
この持ち手部材を設けたものは、例えば月齢が１８〜２３ヶ月程度の幼児の趣向に合うものとなる。
【００２０】
この場合に、前記持ち手部材の両端部は前記容器本体に回動自在に連結されているものとして構成できる。
【００２１】
また、前記蓋体の上面に内容物の取り出し口が形成されていると共に、前記蓋体の上面には前記取り出し口を覆う小蓋片が開閉自在に設けられており、前記持ち手部材が前記蓋体の上方へ回動させられたときに、この持ち手部材は、開放状態の前記小蓋片と当たらない位置にあるものが好ましい。
【００２２】
このように持ち手部材を長いものにすると、持ち手部材を手で持って収納容器をぶら下げた状態で、小蓋片を開けてティッシュなどの内容物を取り出すことも可能である。
【００２３】
なお前記内容物は、例えばウエットティッシュやドライティッシュである。あるいは使い捨ておむつ、乳幼児に使用させるごみ捨て袋、その他の乳幼児用品であってもよい。
【００２４】
【発明の実施の形態】
図１は本発明の第１の実施の形態の収納容器１を示す斜視図、図２は図１に示す収納容器１の容器本体２のみを示す斜視図、図３は、図１に示す収納容器１を、ＩＩＩ矢視方向から見た正面図である。
【００２５】
図１に示す収納容器１は、容器本体２と、蓋体３との組み合わせにより構成されている。この実施の形態では、前記容器本体２の内容物は、例えば乳幼児のおむつ交換時のお尻拭き、または手拭きや口拭きなどに使用されるウエットティッシュ２０である。
【００２６】
このウエットティッシュ２０は、紙または不織布などのシート状担体に、水やアルコールなどの液体が含浸されたものである。このウエットティッシュ２０が複数枚積層された積層体はピロー包装体に収納されているのが一般的であり、前記収納容器１にこのピロー包装体が納められる。
【００２７】
前記容器本体２と蓋体３はプラスチック材料により形成されており、例えばポリプロピレン（ＰＰ）、高密度ポリエチレン（ＨＤＰＥ）などにより形成されている。図１に示すように前記蓋体３の上面３ａには、開閉自在な小蓋片１３が設けられている。前記小蓋片１３の基部は前記蓋体３に軸によって回動自在に連結されており、または前記小蓋片１３は、樹脂によって蓋体３と一体に形成され、蓋体３と小蓋片１３との境界部で樹脂が薄肉となってヒンジが形成されている。
【００２８】
前記蓋体３の上面３ａには前記小蓋片１３の形状に対応し前記小蓋片１３の厚みと同じ深さの凹部３ｂが形成されており、前記凹部３ｂのほぼ中央にはウエットティッシュ２０を取り出す取出し口２１が開口している。前記収納容器１を使用しないとき、前記小蓋片１３を前記凹部３ｂ内に嵌合させることによって、前記取り出し口２１を覆うことができる。前記蓋体３の上面３ａには、前記凹部３ｂと連続する小凹部３ｃが形成されている。前記小凹部３ｃ内に指を入れて前記小蓋片１３を上に持上げることにより、取り出し口２１を露出させることができる。
【００２９】
図２に示すように、前記容器本体２は、底板４と、前記底板４の周囲を囲む４枚の側板５、６、７、８とで構成される。前記底板４と側板５、６、７、８は一体に形成されている。そして、前記側板５、６、７、８の内面５ａ、６ａ、７ａ、８ａと、底板４の内面４ａとで囲まれた空間が収納部９であり、前記内面５ａ、６ａ、７ａ、８ａの上縁部で囲まれた部分が開口部１１である。
【００３０】
図２に示すように、前記容器本体２の前側の側板６には、内面６ａと外面６ｂを貫通する２つの穴１０、１１が設けられている。また、前記前側の側板６と対向する後側の側板７側にも穴１２、１３が貫通して設けられている。前記前側の側板６に設けられた左側の穴１０と、前記後側の側板７に設けられた左側の穴１２は、それぞれの側板６、７内で同位置に設けられている。同様に、前記前側の側板６に設けられた右側の穴１１と、前記後側の側板７に設けられた右側の穴１３は、それぞれの側板６、７内で同位置に設けられている。
【００３１】
前側の側板６に設けられた右側の穴１１から収納部９を通って穴１３にかけて連結部材１４が通され、この連結部材１４の両側端部にそれぞれ玩具部材１５、１６が取り付けられている。同様に、前側の側板６に設けられた左側の穴１０から収納部９を通って穴１２にかけて連結部材１７が通され、この連結部材１７の両側端部にそれぞれ玩具部材１８、１９が取り付けられている。
【００３２】
図１に示すように、この収納容器１では、蓋体３のすぐ下の位置に現れる穴１１、１３から前記連結部材１４の一部と玩具部材１５、１６が突出しており、同様に、蓋体３のすぐ下の位置に現れる穴１０、１２からそれぞれ前記連結部材１７の一部と玩具部材１８、１９とが外側に突出している。
【００３３】
前記連結部材１４、１７は、樹脂繊維を撚って形成された紐、または天然繊維を撚って形成された紐である。なお前記連結部材１４、１７がゴム紐のように伸縮可能なものであってもよい。また前記連結部材１４、１７の断面形状が円形状か楕円形状であると、この連結部材１４、１７を各穴内でスムーズに動かせることができる。
【００３４】
前記連結部材１４、１７は、側板６の外面６ｂと側板７の外面７ｂ間の寸法よりも長いものとなっている。これにより、前記穴１０、１１、１２、１３から前記連結部材１４、１７の一部を充分に長く突出させることができ、玩具部材１５、１６、１８、１９を前記側板６、７の外面６ｂ、７ｂから離れた遊びやすい位置に配置できる。
【００３５】
前記玩具部材１５は、リング形状、玩具部材１８はグローブ形状、玩具部材１６と１９は球状である。ただし、前記玩具部材は如何なる形状のものであってもよい。
【００３６】
また前記玩具部材１５、１６、１８、１９として、内部が空洞で内部に多数の粒状体が入っており、振ったときに音が鳴るものを取り付けることができる。これらの玩具部材１５、１６、１８、１９は、乳幼児が舐めても安全な樹脂等で形成されている必要がある。そこで前記玩具部材１５、１６、１８、１９の材質には、舐めても大丈夫な玩具安全認定マーク（ＳＴマーク）が付されたものから選択される。
【００３７】
また乳幼児に対し安全なように前記玩具部材１５、１６、１８、１９は、角部や直線状の部分がなく、全体に丸みを帯びた形状であることが好ましい。同様に前記容器本体２や蓋体３も鋭角な角部がなく丸みを帯びた外形であることが好ましい。
【００３８】
前記玩具部材１５、１６、１８、１９の大きさは、乳幼児が口に含むことができる程度の大きさであることが好ましく、前記玩具部材１５、１６、１８、１９の最大幅寸法は概ね１５ｍｍ〜５５ｍｍ程度であることが好ましい。
【００３９】
図１および図３に示すように、前記容器本体２の収納部９内には、ピロー包装体２３が収納されている。このピロー包装体２３は、樹脂フィルムまたは樹脂フィルムとアルミ箔とのラミネート材などの軟質な包装材料でウエットティッシュ２０の積層体２５を包んで、前記包装材料に縦方向シールと横方向シールを形成したものである。包装袋２４の上面には、例えば楕円形状の取出口（図示しない）が開口しており、開封前はこの取出口がシール片で覆われている。このシール片を剥がしてピロー包装体２３を前記収納部９へ納め、前記蓋体３を開口部１１に嵌着した状態で、前記ピロー包装体２３の取出口から前記蓋体３の取り出し口２１を通じてウエットティッシュ２０を１枚ずつ取出すことができるようになる。
【００４０】
図２に示すように、前記容器本体２の収納部９内を連結部材１４、１７が横断しているため、前記連結部材１４、１７が邪魔になって前記ピロー包装体２３を前記収納部９内に納めにくかったり、前記連結部材１４、１７が前記収納部９内で前記ピロー包装体２３の下敷きとなるおそれがある。そこで、穴１０、１１、１２、１３を、前記収納部９内に収納される前記ピロー包装体２３の上面２３ａよりも高い位置（蓋体３側）に形成することが好ましい。この位置に穴を設けると、前記ピロー包装体２３を前記収納部９内に収めるときに、前記ピロー包装体２３を前記収納部９内で横断する前記連結部材１４、１７の下にくぐらせるだけで、連結部材１４，１７に邪魔されることなくピロー包装体２３を収納部９内に設置でき、連結部材１４、１７がピロー包装体２３の下敷きとなる不具合が生じにくい。
【００４１】
また、側板６に形成された穴１０と穴１１との間の最小距離Ｗ１および、側板７に形成された穴１２と穴１３との間の最小距離Ｗ１が、前記ピロー包装体２３の最大幅寸法Ｗ２に対して７０％以上であると、ピロー包装体２３を、連結部材１４，１７で邪魔されることなく収納部９に納めることができる。
【００４２】
図１に示す収納容器１は、例えば月齢が６〜１１ヶ月程度の乳幼児用として適している。例えば乳幼児のおむつ交換の際のお尻拭きに使用するときに、乳幼児の傍に前記収納容器１を置くと、乳幼児は前記収納容器１から飛出している玩具部材１５、１６、１８、１９に興味を示し、これら玩具部材をしゃぶったり、あるいは振ったり、引張ったりする。図１に示す実施形態では、例えば前側の側板６の外面６ｂから外側に飛出している玩具部材１５を手前に引張ると、後側の側板７の外面７ｂから外側に飛出している玩具部材１６が前記外面７ｂに向けて移動するため、乳幼児が前記玩具部材を引張って遊ぶことができる。また玩具部材を引張ったり振ったりしたとき前記玩具部材から音が出ると特に乳幼児は面白がり、お尻拭きの最中に、他に遊び道具を用意する必要がない。
【００４３】
なお図１では、連結部材１４、１７は、前側の側板６に形成された穴１０、１１から後側の側板７に形成された穴１２、１３にまで横断しているが、前記連結部材を穴を通して収納部９内に入れ、連結部材を前記側板の内面側で結んで連結部材を外面側から引張っても抜けないようにしてもよい。
【００４４】
また前記容器本体２の左側の側板５と右側の側板８に前記穴を設けてもよいし、各側板５、６、７、８全てに前記穴を設け、いずれかの穴を選択して、その位置から玩具部材を外側に飛び出させてもよい。また連結部材を容器本体２と蓋体３の双方から突出させてもよいし、あるいは蓋体３のみから突出させてもよい。
【００４５】
図４は、本発明の第２の実施の形態の収納容器１Ａを底面側を手前に向けて示した斜視図である。なお、この収納容器１Ａの各部分のうち、前記収納容器１と同じ部分には同じ符号を付してその詳しい説明を省略する。
【００４６】
図４に示すように、前記容器本体２の底板４の外面４ｂには、レール部３６、３７が突出形成されている。このレール部３６，３７は、樹脂で前記容器本体２と一体に形成されていてもよいし、またはレール部３６，３７が前記外面４ｂに取付けられたものであってもよい。一方のレール部３６は側板６寄りに位置し、他方のレール部３７は側板７寄りに位置して、各レール部３６、３７は平行を保ちながら前記側板６、７に沿って延びている。
【００４７】
レール部３６と３７の対向面３６ａ、３７ａには、摺動凹部３６ｂ、３７ｂが、前記レール部３６、３７の長手方向（図示Ｘ方向）に延びて形成されている。
【００４８】
前記レール部３６、３７間に、玩具部材としてスライド体３８が設けられ、前記スライド体３８の摺動端部３８ａと３８ｂが、前記摺動凹部３６ｂ、３７ｂ内に摺動自在に嵌められて、前記スライド体３８が前記レール部３６、３７に沿ってＸ方向へスライド移動できるようになっている。
【００４９】
前記容器本体２の底板４の外面４ｂには、漫画が描かれている。図４の状態では、前記外面４ｂの中央に描かれた「男の子」の絵（点線で示されている）が、スライド方向の中央に位置している前記スライド体３８によって隠されている。前記スライド体３８が図示左方向にスライドすると、「男の子」の絵が現われるとともに、今度は前記外面４ｂの図示左側に描かれていた「熊」や「うさぎ」の絵が前記スライド体３８によって隠される。また前記スライド体３８が図示右方向にスライドすると、前記外面４ｂの図示右側に描かれていた「うさぎ」の絵が前記スライド体３８によって隠される。
【００５０】
前記スライド体３８は前記収納容器１を斜めに傾けたときに自重でスライドするように構成することもできる。この場合、前記スライド体３８の両摺動端部３８ａ、３８ｂと前記レール部３６、３７の摺動凹部３６ｂ、３７ｂとが隙間を有して嵌め込まれるように構成することで実現できる。
【００５１】
図４に示す実施形態では、玩具部材である前記スライド体３８、およびレール部３６、３７が前記容器本体２の底板４の外面４ｂに設けられているが、前記スライド体３８およびレール部３６、３７が、前記容器本体２の側板５、６、７、８の少なくとも１つの外面に設けてもよいし、あるいは前記側板の外面と蓋体３の外面の双方に設けてもよい。
【００５２】
スライド体とレール部を前記容器本体２の側板５、６、７、８の外面に設ける場合には、容器本体２に嵌着される蓋体３に当たらない位置に前記レール部を設けることが必要である。したがって、前記スライド体とレール部を容器本体２の底板４の外面４ｂに設けると、スライド体３８の面積およびそのスライド範囲を広く確保できる。
【００５３】
また前記スライド体３８は、このスライド体３８が設置される外面４ｂの面積に対し４０％〜６０％程度の面積を占めていることが好ましい。前記スライド体３８が６０％を超える面積を占めると、前記スライド体３８をスライドさせることで現われる絵が途中で切れてその全体が見えず、あるいは前記スライド体３８をスライドさせたときに見える絵の全体像を小さくしなければならず、乳幼児がその絵を判別できずに興味を示さなくなる心配がある。
【００５４】
一方、前記スライド体３８の面積を４０％未満にすると、前記スライド体３８で隠れる部分が狭くなるため、前記スライド体３８のスライドによって、絵が隠れたり現われたりするといった視覚的な効果が薄れる。
【００５５】
また前記スライド体３８が最も端にスライドしたときに、前記スライド体３８と前記レール部３６、３７に形成された凹部３７ｂの両端部３７ｃとの接触によって音が鳴るようにすると、乳幼児はさらに興味を示すようになる。効果的な音を発生させるには、前記スライド体３８の左側端部３８ｃ及び右側端部３８ｄと凹部３７ｂの両端部３７ｃとを平行に形成し、前記前記スライド体３８の左側端部３８ｃ及び右側端部３８ｄと凹部３７ｂの両端部３７ｃとを対面接触させることで実現でき、あるいは前記スライド体３８の材質を、レール部３６，３７と違う比較的質量が大きく且つ硬質な材質で形成することで実現できる。
【００５６】
前記スライド体３８は、乳幼児が舐めても安全な材質であることが必要である。そのためには玩具安全認定マークである「ＳＴマーク」が付された材質で前記スライド体３８を形成することが必要である。
【００５７】
また、前記スライド体３８の摺動端部３８ｂと摺動端部３８ａに、その長手方向に沿って凹部が形成され、レール部３６、３７の対向面３６ａ、３７ａに、前記凹部に嵌め込まれる凸部が形成されて、レール部に対してスライド体３８が摺動できる構造としてもよい。
【００５８】
図４に示す収納容器１Ａは、例えば月齢が１２〜１７ヶ月程度の幼児がおむつを交換する際のお尻拭き、あるいは手拭きや口拭きなどの使用に適している。この月齢の幼児は物を動かすことに興味を持ち、また絵の変化にも興味を示す。またスライド体３８を摺動させることで、「子供」「動物」の絵が見え隠れし、幼児に興味を与えることができる。またスライド体３８が自重でスライドするものでは、収納容器１Ａを手で持って振るだけで、スライド体３８が動くようになり、さらに興味を持つようになる。
【００５９】
このためお尻拭きの最中に、他に遊び道具を用意しなくても、収納容器１Ａを乳幼児の傍に置いておくだけで、幼児が遊ぶことができる。またこの収納容器１Ａが動きを持つものであるため、手や口が汚れたときに大人がティッシュでこれを拭き取るのを嫌がらなくなる。
【００６０】
図５は本発明の第３の実施の形態の収納容器１Ｂを示す斜視図、図６は図５に示す収納容器１ＢをＶＩ方向から見た正面図である。
【００６１】
この収納容器１Ｂでは、容器本体２の左側の側板５及び右側の側板８の外面５ｂ、８ｂから内面５ａ、８ａにかけてそれぞれ穴４０、４１が形成されている。前記穴４０、４１は、左側の側板５及び右側の側板８を幅方向（図示Ｙ方向）に二分する中心に形成され、また側板５および側板８の上方寄りに形成されている。そして穴４０と穴４１は、側板５、８内で同位置に形成されている。
【００６２】
前記容器本体２の前記穴４０、４１には、回動自在な持ち手部材４２が玩具部材の一例として取り付けられている。前記持ち手部材４２の左側端部４２ａは、側板５に形成された穴４０内に通され側板５の内面５ａで、前記左側端部４２ａに抜け止め部材４３が取り付けられている。また、前記持ち手部材４２の右側端部４２ｂも、側板８に形成された穴４１内に通され、側板８の内側に抜け止め部材４３が取り付けられている。これにより前記持ち手部材４２は、側板５と８に外れることなく回動自在に連結されている。
【００６３】
前記抜け止め部材４３は例えば持ち手部材４２と同じ材質で形成されて、前記抜け止め部材４３と持ち手部材４２とが接着剤で接合されている。なお前記持ち手部材４２の材質は、舐めても大丈夫な玩具安全認定マーク（ＳＴマーク）が付けられたものから選択される。
【００６４】
前記持ち手部材４２は、前記容器本体２の側板６側へ倒れる姿勢から側板７の外側へ倒れる姿勢にかけて回動できるようになっている。前記容器本体２の収納部９にピロー包装体２３を納めるときまたは交換するときには、前記持ち手部材４２を側板６の外方あるいは側板７の外方へ倒すことで、前記蓋体３を容器本体２から外すことができる。
【００６５】
また図６に示すように、持ち手部材４２が、前記蓋体３の上面３ａに対し垂直方向に起立した状態のときに、前記蓋体３の上面３ａから持ち手部材４２の下辺４２ｃまでの高さＴ１は、前記小蓋片１３を開いたときの前記小蓋片１３の立ち上がり高さＴ２よりも大きくなっている。このようにすると、前記持ち手部材４２が起立しているときに、前記小蓋片１３を前記蓋体３の上面３ａから上方へ開放させても、小蓋片１３が持ち手部材４２に当たることがなく、よって持ち手部材４２を起立させた状態で、収納容器１Ｂ内のティッシュ２０を引出すことが可能となる。
【００６６】
また前記持ち手部材４２の折曲部４２ｄは、湾曲形成されていることが好ましい。前記折曲部４２ａが湾曲していると、乳幼児がこの折曲部４２ａの部分と当たっても怪我をすることを防止できる。
【００６７】
図５と図６に示す収納容器１Ｂは、例えば月齢が１８〜２３ヶ月の幼児に適している。この月齢の幼児は持ち手部材４２を手に持って収納容器１Ｂをぶら下げることにより買い物を真似た遊びができるようになる。
【００６８】
したがって、おむつ交換の際のお尻拭き、食事のときの手拭きや口拭きの際に、幼児が積極的に持ち手部材４２を手で持って持ち運ぶようになり、幼児自らがウエットティッシュで拭かれるのを好むようになる。
【００６９】
以上、３つの実施形態について説明したが、これら各実施形態における収納容器は、前述のように月齢の異なる乳幼児に適したものとなり、またそれぞれの月齢に適したものとしてさらに変形させることができる。
【００７０】
図１に示す収納容器１を、例えば月齢が６ヶ月〜１１ヶ月程度の乳児を対象に用いると、生まれて間も無い乳児は、手で物を動かすよりも目の前にあるものを口に含んだり舐めたりする傾向が強いため、収納容器から玩具部材が飛出していると、乳児は強く興味を示し、この玩具を口に含んだり舐めたりする。あるいは手で動かす玩具部材として、「ガラガラ」と音が鳴る玩具部材を用いるとさらに興味を示すようになる。さらに前記収納容器１に、キャラクターおもちゃを玩具部材として取り付けたり、手で触って倒しても起き上がるおもちゃを玩具部材として取り付けてもよい。
【００７１】
図４に示す収納容器１Ａは、月齢が１２ヶ月から１７ヶ月程度の乳幼児を対象として用いられる。この時期の乳幼児は、物を自分で動かすことに興味を覚え、また物を動かすことで起こる変化に興味を示す。図４の収納容器の他に、例えば蓋体３や容器本体２にオルゴールが内蔵され、そのオルゴールを動かすためにねじを回すハンドル部を、前記蓋体３や容器本体２の外面から外側に突出させるようにしてもよい。乳幼児は前記ハンドル部を回すことで音が出ることに興味を持つ。あるいは受話器のおもちゃやボタンなどを前記収納容器の外面に取り付けておいたり、前記収納容器の外面に鏡を付けておくなどし、自分の存在に興味を持たせるようにしてもよい。
【００７２】
図５に示す収納容器は、月齢が１８ヶ月から２３ヶ月程度の成長した幼児に適している。この時期の幼児は立って歩くことができるので、図５のような持ち手部材４２を設けて収納容器を持たせることが可能になる。その他には、容器自体の形を乗り物の形にしたり、輪投げゲームができるようにしたり、磁石ボードやホワイトボードを容器の外面に設けてお絵描き遊びができるようにしたり、木琴などの楽器類を取り付けたりすることもできる。
【００７３】
また上記の収納容器を販売するときに「月齢○ヶ月〜△ヶ月用」などと付して販売することで、購買者は自分の子供に合った商品を購入でき、また、月齢対象の異なる収納容器をセット販売することも可能である。
【００７４】
また図１ないし図６に示す収納容器は略直方形状であったが、収納容器の形態は如何なるものであってもよく例えば、図７のように側板５０が筒状となった収納容器５１に本発明を適用してもよい。
【００７５】
さらに図１ないし図７に示す容器本体内に収納されている内容物は、ウエットティッシュ等のティッシュ類であったが、これ以外の物を内容物としてもよい。例えば前記内容物として、使い捨ておむつを重ねて収納してもよいし、その他の乳幼児用品を収納してもよい。
【００７６】
【発明の効果】
以上詳述したように例えば本発明の収納容器は、乳幼児の傍に置いておくことで、例えばおしめ交換やティッシュでお尻拭きをしているときなどに、乳幼児を前記玩具部材で遊ばせることができ、別に遊び道具を用意しなくても、おしめ交換などをスムーズに行うことができる。
【図面の簡単な説明】
【図１】本発明の第１の実施形態の収納容器の斜視図、
【図２】図１の容器本体のみを示す斜視図、
【図３】図１をＩＩＩ矢視方向から見た正面図、
【図４】本発明の第２の実施形態の収納容器を底板を手前にした斜視図、
【図５】本発明の第３の実施形態の収納容器の斜視図、
【図６】図３の持ち手部と小蓋片を起立させた状態の収納容器の正面図、
【図７】別の収納容器の形態を示す斜視図、
【符号の説明】
１　収納容器
２　容器本体
３　蓋体
４　底板
５、６、７、８　側板
１０、１１、１２、１３、４０、４１　穴
１４、１７　連結部材
１５、１６、１８、１９　玩具部材
２３　ピロー包装体
３６、３７　レール部
３８　スライド体
４２　持ち手部材
【図１】
2004042913.tif 000003
【図２】
2004042913.tif 000004
【図３】
2004042913.tif 000005
【図４】
2004042913.tif 000006
【図５】
2004042913.tif 000007
【図６】
2004042913.tif 000008
【図７】
2004042913.tif 000009